(57)【要約】【課題】内方部材と外輪の間に保持器により複数のローラを保持し、ローラを介して回転を外輪へ伝達し、外輪の内周面に複数のカム面を有する形式のローラクラッチにおいてカム面の加工を容易な構造とした回転伝達装置を得る。【解決手段】入力軸１ｘ上に設けた内方部材１と、内周面に複数のカム面５を有し、かつ内方部材の外方に配置した外輪２と、両部材の対向周面間に設けた保持器４のポケットに挿置されたローラ３とによりローラクラッチを形成し、このローラクラッチの保持器４に係合し、保持器４の外輪２に対する相対回転を戻して係合を解除すると共に、その中立位置を保持する弾性部材として設けたスイッチばね１０とを備え、上記複数のカム面５を外輪の最小内径部に設けてカム面５の加工を外輪のいずれの側方からも可能に形成した回転伝達装置である。【選択図】図１
2005282588.tif 000002
【特許請求の範囲】
【請求項１】
入力軸上に所定径の外周面を有する内方部材を設け、上記外周面との間に楔空間を形成する複数のカム面から成る内周面を有し、かつ内方部材の外周に配置した外輪と、その対向面間に設けた保持器のポケットに係合子として挿置したローラと、保持器の外輪に対する回転力の作用によりローラを上記楔空間に押込んで内方部材と外輪を係合させ、保持器への回転力非作用時は保持器及びローラを中立位置へ戻して係合を解除すると共に、その中立位置を保持する弾性部材とを備え、外輪のカム面を外輪内周の最小内径部に形成した回転伝達装置。
【請求項２】
入力軸上に所定径の外周面を有する内方部材を設け、上記外周面との間に楔空間を形成する複数のカム面から成る内周面を有し、かつ内方部材の外周に配置した外輪と、その対向面間に設けた保持器のポケットに係合子として挿置したローラと、アーマチュアとロータと電磁コイルを有する電磁クラッチ部と、その電磁力の作用でアーマチュアを介して保持器の外輪に対する回転力の作用によりローラを上記楔空間に押込んで内方部材と外輪を係合させ、保持器への回転力非作用時は保持器及びローラを中立位置へ戻して係合を解除すると共に、その中立位置を保持する弾性部材とを備え、上記アーマチュアを回転自在に支持する部材を設け、この支持部材にアーマチュアを軸方向に当接させる段差部を設けた回転伝達装置。
【請求項３】
前記電磁クラッチ部を内方部材、外輪、保持器に挿置されたローラを有するローラクラッチ部外に隣接して設けたことを特徴とする請求項２に記載の回転伝達装置。
【請求項４】
前記外輪のカム面を外輪内周の最小内径部に形成したことを特徴とする請求項２又は３に記載の回転伝達装置。
【請求項５】
前記段差部を有する部材とアーマチュアの段差部に当接する部位のいずれか一方又は両方に摩擦低減手段を設けたことを特徴とする請求項２乃至４のいずれかに記載の回転伝達装置。
【請求項６】
前記摩擦低減手段を軸受部材としたことを特徴とする請求項５に記載の回転伝達装置。
【請求項７】
前記摩擦低減手段をアーマチュア又は段差部を有する部材への表面処理面としたことを特徴とする請求項５に記載の回転伝達装置。
【請求項８】
前記摩擦低減手段を自己潤滑性材としたことを特徴とする請求項５に記載の回転伝達装置。
【請求項９】
前記段差部を有する部材の一部又は全部を非磁性体で形成したことを特徴とする請求項５乃至８のいずれかに記載の回転伝達装置。
【請求項１０】
入力軸上に所定径の外周面を有する内方部材を設け、上記外周面との間に楔空間を形成する複数のカム面から成る内周面を有し、かつ内方部材の外周に配置した外輪と、その対向面間に設けた保持器のポケットに係合子として挿置したローラと、保持器の外輪に対する回転力の作用によりローラを上記楔空間に押込んで内方部材と外輪を係合させ、保持器への回転力非作用時は保持器及びローラを中立位置へ戻して係合を解除すると共に、その中立位置を保持する弾性部材とを備え、入力軸上に内方部材と隣接して異径部を、かつ外輪の延長部を対向配置し、延長部内周面と異径部外周面間に互いに隣接する複数の軸受を設けた回転伝達装置。
【請求項１１】
前記隣接する複数の軸受に軸方向予圧を付与する手段を設けたことを特徴とする請求項１０に記載の回転伝達装置。
【請求項１２】
前記隣接する複数の軸受が嵌合する部材である延長部と異径部の径のいずれか一方又は両方を複数の軸受に対して同寸法としたことを特徴とする請求項１０又は１１に記載の回転伝達装置。
【発明の詳細な説明】
【技術分野】
【０００１】
この発明は、車両の動力を伝達する駆動経路上等で駆動力の伝達と遮断の切替えに用いられる回転伝達装置に関する。
【背景技術】
【０００２】
車両における動力の伝達をする駆動経路上に駆動力の伝達と遮断の切替えに用いられる回転伝達装置の１つとしてローラ式の２方向クラッチに電磁クラッチを組合わせた電磁式ローラクラッチが知られている。この形式のクラッチのローラクラッチ部は、入力軸の軸端に設けた内方部材とその外側に設けられる出力軸の軸端の外輪との間のスペースに所定の角度ピッチで複数のローラを保持器を介して挿置し、内方部材の外周に上記と同ピッチで形成される複数のカム面と外輪内周面とにより上記スペースを楔空間とし、保持器にはスイッチばねを連結して非回転時にはローラを中立位置に保持するように形成されている。
【０００３】
上記ローラクラッチ部は、内輪カム形式であるが、反対に外輪の内周面にカム面を形成した外輪カム形式のものも知られている。そして、上記いずれの形式のクラッチであれ、ローラクラッチ部に隣接して電磁クラッチ部が設けられている。この電磁クラッチ部は、保持器に連結されるアーマチュアと、内方部材もしくは外輪に固定されたロータ板と、電磁力の作用でアーマチュアをロータ板に係合、遮断する電磁コイルとを備え、アーマチュアは内方部材の軸上で軸方向に移動自在であるが、保持器に対して回転方向には一体に回転するように連結され、アーマチュアを電磁力でロータ板に係合させることにより内方部材の回転を外輪へ、又はその反対方向に回転を伝達するように形成されている。
【０００４】
上記のような内輪カム形式及び外輪カム形式のローラクラッチ部を電磁クラッチ部に組合わせた電磁式ローラクラッチについては、例えば特許文献１に記載されている。この特許文献１による回転伝達装置としての電磁式ローラクラッチは、電気的にロック、フリー制御してＡＢＳ制御の作動時の前輪と後輪の動力循環を防止し、かつ４ＷＤ／２ＷＤ車の切替えが容易で、燃料の向上、流体カップリングの劣化防止、タイヤ摩耗の減少を図ることを目的としたものである。
【０００５】
ところで、上記特許文献１などに開示されている従来の電磁式ローラクラッチは、外輪の縦断面形状によって電磁コイルを含む電磁クラッチ部と、内方部材及びローラを含むローラクラッチ部と、内方部材の軸端を外輪に対して支持する軸受部のそれぞれの位置ごとに階段状に内径が異なり、軸受部を設けた位置の内径が最も小さく、電磁クラッチ部の内径が最も大きい。このため、特に外輪内周面にカム面を有する外輪カム形式の電磁式ローラクラッチでは、カム面を機械加工により成形する場合、その加工手段は特定の方式の加工手段に限定されていた。
【０００６】
即ち、外輪の内径に大きな段差があるため、加工は内径のどちらか一方からの加工であり、例えばフライス加工や放電加工のような特定の加工方式の手段に限定されていた。従って、例えばワイヤーカットのような外輪を軸方向に貫通で加工する方法や、加工ツールを両端で支持し高剛性で加工するというようなコストの安価な加工方式を適用できなかったため、容易にカム面を加工できなかったという課題がある。
【０００７】
又、外輪の内径内に電磁クラッチ部が内蔵される形式であったため、アーマチュアとロータ、及びロータと電磁コイル間の隙間の調整が困難であり、各部品の製作誤差が生じて重なった場合、電磁クラッチの吸引力が各製品毎に微妙に異なったものとなっていた。従って、上記各隙間の管理が容易な外輪カム形式の回転伝達装置として改善することが所望されていた。
【特許文献１】特開平１０−５３０４４号公報
【発明の開示】
【発明が解決しようとする課題】
【０００８】
この発明は、上記の問題に留意して、内方部材と外輪の間に保持器により複数のローラを保持し、ローラを介して回転を外輪へ伝達し、外輪の内周面に複数のカム面を有する形式のローラクラッチのカム面の加工を容易な構造とした回転伝達装置を提供することを課題とする。
【０００９】
又、ローラクラッチ部に対し電磁クラッチ部を設けて回転伝達装置を形成する際に、アーマチュアとロータ及びロータと電磁コイル間の隙間を容易に管理できる構造の回転伝達装置を提供することをもう１つの課題とする。
【課題を解決するための手段】
【００１０】
この発明は、上記の問題に留意して、第１の課題を解決する手段として、入力軸上に所定径の外周面を有する内方部材を設け、上記外周面との間に楔空間を形成する複数のカム面から成る内周面を有し、かつ内方部材の外周に配置した外輪と、その対向面間に設けた保持器のポケットに係合子として挿置したローラと、保持器の外輪に対する回転力の作用によりローラを上記楔空間に押込んで内方部材と外輪を係合させ、保持器への回転力非作用時は保持器及びローラを中立位置へ戻して係合を解除すると共に、その中立位置を保持する弾性部材とを備え、外輪のカム面を外輪内周の最小内径部に形成した回転伝達装置としたのである。
【００１１】
上記構成のローラクラッチ形式の回転伝達装置では、保持器を外輪に対して相対的に移動させることによりローラを、内方部材外周と外輪内周のカム面で形成される楔空間内に押込むことによりローラを介して内方部材を外輪に係合させ、入力軸の回転を外輪に伝達する。保持器を外輪に対して移動させる作用が遮断されると、弾性部材により保持器が元の位置に戻されローラが楔空間と楔空間との間の中央位置に戻り、その中央位置では外輪内周とローラとの間にわずかな隙間が生じてローラは外輪に対して係合が解除される。
【００１２】
このような構成のローラクラッチ部とした場合、外輪内にローラが挿置される部位の径が最小内径部であるから、外輪の他の異径部の内径はローラの両側で径が大きくなっている。従って、外輪を加工する際に外輪のいずれの側からでも加工ツールを挿入可能であり、かつ特定の加工手段だけでなく、種々の加工手段によりカム面の加工ができ、このため加工作業が容易であり、コスト削減が可能となる。
【００１３】
又、第２の課題を解決する手段として、入力軸上に所定径の外周面を有する内方部材を設け、上記外周面との間に楔空間を形成する複数のカム面から成る内周面を有し、かつ内方部材の外周に配置した外輪と、その対向面間に設けた保持器のポケットに係合子として挿置したローラと、アーマチュアとロータと電磁コイルを有する電磁クラッチ部と、その電磁力の作用でアーマチュアを介して保持器の外輪に対する回転力の作用によりローラを上記楔空間に押込んで内方部材と外輪を係合させ、保持器への回転力非作用時は保持器及びローラを中立位置へ戻して係合を解除すると共に、その中立位置を保持する弾性部材とを備え、上記アーマチュアを回転自在に支持する部材を設け、この支持部材にアーマチュアを軸方向に当接させる段差部を設けた回転伝達装置とすることもできる。
【００１４】
このような構成とした場合、電磁クラッチ部の電磁力の作用で保持器を外輪に対して相対移動させ、ローラクラッチ部により入力軸の回転が外輪に伝達される。電磁クラッチ部への通電を遮断すると保持器とローラが元の位置へ戻り、係合が遮断される。この構成では、アーマチュアの回転支持部材に段差部を設けアーマチュアを軸方向に当接させるようにしたから、この段差部の軸方向寸法とアーマチュアの板厚を管理することによりアーマチュアとロータとの隙間を管理することができ、隙間の管理が極めて容易となり、アーマチュアに対する電磁力の作用にばらつきのない高精度の電磁クラッチとして機能することとなる。
【００１５】
なお、第１の発明の基本構成のローラクラッチ部の応用例として、入力軸上に所定径の外周面を有する内方部材を設け、上記外周面との間に楔空間を形成する複数のカム面から成る内周面を有し、かつ内方部材の外周に配置した外輪と、その対向面間に設けた保持器のポケットに係合子として挿置したローラと、保持器の外輪に対する回転力の作用によりローラを上記楔空間に押込んで内方部材と外輪を係合させ、保持器への回転力非作用時は保持器及びローラを中立位置へ戻して係合を解除すると共に、その中立位置を保持する弾性部材とを備え、入力軸上に内方部材と隣接して異径部を、かつ外輪の延長部を対向配置し、延長部内周面と異径部外周面間に互いに隣接する複数の軸受を設けた回転伝達装置を採用することもできる。
【００１６】
このような構成の回転伝達装置では、外輪の延長部に歯車を設けて出力の回転を伝達する際に入力軸上の異径部に設けた複数の軸受によって荷重を支持する。このため、モーメント荷重が外輪又は入力軸に作用してもローラクラッチ部のローラと外輪内周との隙間寸法に与える影響がなくなり、ミス係合等が発生しないこととなる。
【発明の効果】
【００１７】
第１の発明の回転伝達装置は、外輪のカム面を外輪の最小内径部に形成したローラクラッチとしたから、外輪のカム面を形成する際に最小内径部の両側方のいずれからでも加工手段を挿入でき、このため加工作業が容易、かつ精度の高い加工が可能となり、コスト低減が可能で、高品質の外輪カム形式の回転伝達装置が得られるという利点がある。
【００１８】
第２の発明の回転伝達装置は、電磁クラッチ部を有し、アーマチュアを支持する部材の段差部にアーマチュアを軸方向に当接させるようにしたから、この段差部の軸方向寸法及びアーマチュア板厚を管理するだけでアーマチュアとロータ間の隙間を高精度で設定できるという利点がある。
【００１９】
第３の発明の回転伝達装置は、第１の発明のローラクラッチの基本構成を有し、かつ外輪の延長部と入力軸上の異径部間に互いに隣接する複数の軸受を設けたから、外輪延長部又は入力軸上に荷重が作用しても、この複数の軸受で荷重を受け止め、ローラと外輪間の隙間に影響がなくなり、ローラクラッチのミス係合を防止できるという利点が得られる。
【発明を実施するための最良の形態】
【００２０】
以下、この発明の実施の形態について図面を参照して説明する。図１はこの実施形態の電磁式ローラクラッチの回転伝達装置の主要断面図である。図示のように、この電磁式ローラクラッチは、機械式のローラクラッチＣM と、電磁コイルによる電磁クラッチＣE を隣接して設けて組合わせたものから成る。ローラクラッチ部ＣM は、入力軸１ｘ上に設けた内方部材１の外周面１ａを所定径の大径部として形成し、その外側に外嵌、配置した外輪２を有する。
【００２１】
外輪２の内周面には内方部材１の外周面１ａとの間に楔空間を形成する複数のカム面５が形成されており、上記外周面１ａと対向するカム面５との間に保持器４が設けられ、この保持器４に設けられたポケットに係合子としての複数のローラ３が挿置されている。上記複数のカム面５は、図示の例では１２個とされ、複数のローラ３も対応して同数設けられているが、カム面５、ローラ３の数は任意である。
【００２２】
又、内方部材１、ローラ３の軸方向の幅は必要最小限の寸法とされ、外輪２の幅も内方部材１よりやや大きい程度で、従来のような外輪２の内側に電磁クラッチＣE を内蔵し得る程の軸方向長さ寸法を有していない。従って、外輪内周のカム面５は外輪内径のうち最小内径部に設けられている。なお、図示の例では上記カム面５は平面タイプの形状としたが、平面タイプに限られず、楔空間が形成される形状であればよく、例えば曲面状でもよい。
【００２３】
又、保持器４はローラ３を互いに隣接するカム面５で形成される半径方向の外へ屈曲した凹部のほぼ中央の中立位置に保持するように保持器４の一側方の内側に弾性部材として挿置されたスイッチばね１０により弾性的に保持されている。スイッチばね１０は、図２の（ｂ）図に示すように、リング状部の両端に係合解除もしくは中立位置保持用の角（ツノ）１０ａ、１０ａが形成されており、この角１０ａ、１０ａを挿入するための切欠き１０ｂ〜１０ｂ、４ａ〜４ａが外輪２、保持器４の所定位置に設けられている。
【００２４】
上記構成のローラクラッチＣM の外部に隣接してアーマチュア１１、ロータ１３、電磁コイル１４から成る電磁クラッチＣE が設けられている。ロータ１３は、そのボス部内径が入力軸１ｘ上に固定されたスリーブ１５に一体に結合して設けられ、かつロータ１３のフランジ面１３ａを挟むように一方にアーマチュア１１、他方に電磁コイル１４が配置されている。アーマチュア１１は、スリーブ１５の延長部上に設けた摩擦低減部材１９を介してスリーブ１５に対しては回転自在に、かつ軸方向への移動もアーマチュア１１とロータ１３のフランジ面１３ａとの間のわずかな隙間δの範囲内で可能に設けられている（隙間δについては後で説明する）。
【００２５】
なお、スリーブ１５はアーマチュア１１を回転自在に支持するための部材として設けられ、アーマチュア１１を軸方向に当接させる段差部１５ａが形成されている。図示の例では、この段差部１５ａに接して断面視Ｌ字状の摩擦低減部材１９が設けられているが、摩擦低減部材１９は省略することもできる。従って、摩擦低減部材１９を省略する場合は段差部１５ａにアーマチュア１１が直接当接することとなる。さらに、図３の（ａ’）図に示すように、摩擦低減部材１９は断面視矩形状のものとしてもよい。この場合はアーマチュア１１の内径はスリーブ１５で支持される。又、図示の例ではアーマチュア１１を入力軸上の部材により回転支持する例としたが、ロータ１３の外周にアーマチュア１１の径方向の移動を止め、軸方向への移動を自在とする支持部材、例えば複数のローラを設けるようにしてもよい。この場合はスリーブ１５も不要となる。
【００２６】
さらに、アーマチュア１１は、通常は（電磁コイル１４への非通電時）弾性部材１２のばね力で外輪２の一側方端面に向って引き付けられており、かつ保持器４の一側方端面に少なくとも２箇所以上の複数箇所に設けられた突片４ｂに対応する位置に対応する数の穴が設けられ、この穴に突片４ｂが嵌合することにより回転方向にはアーマチュア１１と保持器４が一体化するように設けられている。又、弾性部材１２は外輪２の外周に一端が固定され、他端がアーマチュア１１に連結され、このような弾性部材１２が複数箇所設けられている。
【００２７】
電磁コイル１４の周りはヨーク１４ａで囲まれ、このヨーク１４ａを突起１６を介して図示しない静止した固定支持部に支持されている軸受１７の固定側部材に連結し、これにより電磁コイル１４を固定支持している。従って、電磁コイル１４に対しロータ１３の内面にわずかな隙間を以って回転自在にロータ１３は設置されている。そして、図示の例では軸受１７により入力軸１ｘの一端が回転自在に支持されている。なお、１８は外輪２の内部の封止板である。
【００２８】
上記ローラクラッチＣM の他方側端には、図示のように、外輪２の延長部６に歯車７を設け、これに図示しない他の歯車を係合させて出力の回転力を他歯車に伝達するように形成されている。そして、この延長部６、歯車７の幅方向のほぼ中央寄りでタンデム方式の複数の軸受８、８を延長部６の内径部に嵌合させ、この軸受８、８を入力軸１ｘ上で内方部材１に隣接して形成した異径部９上に固定し、この異径部９による支持で延長部６を回転自在に支持している。
【００２９】
なお、延長部６の内側面及び異径部９の外周面で、かつ軸受８、８の端には軸受８、８に予圧を付与するための部材８ｐ、８ｐがリング状に設けられている。そして、上記複数の軸受８、８が嵌合する部材である延長部６と異径部９の径のいずれか又は両方を複数の軸受８、８に対して同寸法とするのが好ましい。又、入力軸１ｘ上にはさらに歯車２１が設けられ、この歯車２１に図示しない歯車が係合し、入力の回転力を入力軸１ｘに伝達している。さらに、入力軸１ｘの反対側方は軸受２０により回転自在に軸支され、軸受２０も図示しない静止固定部に支持されている。
【００３０】
上記電磁クラッチＣE のアーマチュア１１は、スリーブ１５に対して回転自在に支持され、かつ相対回転するため、その回転差が大きくなると、又その接触面の摩擦係数が大きい程両者の摺動抵抗の影響が無視できなくなる。このため、両者間には摩擦低減部材１９が用いられているが、この摩擦低減部材１９として図示の例では滑り軸受又は転がり軸受が用いられている。両部材間の表面処理をして潤滑材を用いてもよい。さらに、摩擦低減部材１９を自己潤滑性材を用いて形成してもよい。
【００３１】
又、スリーブ１５は非磁性体で形成されている。この場合、非磁性体はスリーブ１５の全部又は一部に用いてもよい。電磁コイル１４からの磁気を効率よくロータ１３→アーマチュア１１→ロータ１３へ流れるようにし、周辺部への磁気漏れを最低限にするためである。スリーブ１５には低摩擦特性、非磁性が要求されることを総合的に加味し、両特性を併せ持つ材料、例えば黄銅のような材料を用いれば、摩擦低減部材１９を省略することができる。
【００３２】
上記の構成とした実施形態の電磁式ローラクラッチの回転伝達装置の基本構成は、従来の回転伝達装置と同様であるが、上述したように具体的構成が若干異なるため、特に製造上の加工方法が異なる。基本作用は、次の通りである。電磁コイルに通電されていない限り、アーマチュア１１は弾性部材１２のばね力でローラクラッチＣM 側へ引き寄せられており、ロータ１３とアーマチュア１１との間は遮断されてアーマチュア１１は回転せず、従って図２の（ｂ）図の実線で示すように、スイッチばね１０によりローラ３が楔空間の凹部中央位置に保持され、ローラ３による内方部材１の外輪２への係合は遮断されている。
【００３３】
電磁コイル１４が通電されると、その電磁吸着力によりアーマチュア１１がロータ１３に摩擦係合してロータ１３と共に回転する。アーマチュア１１がわずかに回転すると、保持器４も回転し、図２の（ｂ）図の一点鎖線で示すように、スイッチばね１０の角１０ａの一方（右側）を傾けて外輪２に対し回転移動する。このため、ローラ３は楔空間の狭い側へ押込まれて内方部材１と外輪２に係合し、回転が外輪２へ伝達される。通電を停止すると保持器４、ローラ３は元の状態に戻り、係合が遮断される。
【００３４】
上記実施の形態の回転伝達装置では、外輪２のカム面５は外輪２の異径内径部のうち最小内径部に設けているから、その両側の他の異径部はカム面５の内径より径が大である。従って、外輪２のカム面内径部を機械加工により成形する場合、軸方向のどちらからでも加工ツールを挿入自在である。従って、従来はフライス加工や放電加工に加工手段が限定されていたのに対し、この実施形態では上記加工手段に加え、例えばワイヤーカットのような外輪を軸方向に貫通加工する手段、あるいは加工ツールを両端で支持し高剛性で加工する手段を採用することができる。
【００３５】
次に電磁クラッチＣE をローラクラッチＣM の外部に隣接して設けたことによりアーマチュア１１とロータ１３間の隙間δ及びロータ１３と電磁コイル１４との隙間ｆの管理が比較的容易となり、コスト削減が可能となる。図３の（ａ）図に示すように、ロータ１３とアーマチュア１１の板厚を含む寸法をａ、アーマチュア１１の板厚をｂとすると、アーマチュア１１とロータ１３間の隙間δは、δ＝ａ−ｂとなり、隙間δは、ａ、ｂの寸法のみで管理できる。即ち、隙間δの管理に関係する部品の製作誤差が多岐に及ばないこととなる。この点は図３の（ａ’）図の場合も同じである。
【００３６】
又、図３の（ｂ）図に示すように、ロータ１３の軸方向寸法をｄとし、静止系に対し入力軸１ｘを支持する軸受１７に突起１６で固定された電磁コイル１４の同方向寸法をｅとすると、電磁コイル１４との隙間ｆは、ｆ＝ｄ−ｅとなり、（ｄ−ｅ）の値と軸受１７の軸方向のガタとにより管理されることとなる。この場合も、隙間ｆの管理に関係する部品の製作誤差が多岐に及ばない。しかも、上記２つの種類の隙間δ、ｆの管理はローラクラッチＣM の外輪の外で行なうことができる。従って、寸法管理が比較的容易で、コスト削減が可能となる。
【００３７】
又、外輪２に延長部６を設け、タンダム軸受８、８をその中央寄りに設けたのは、次の理由による。ローラクラッチＣM の空転時には、ローラ３と外輪２との隙間が確保されているが、入力軸１ｘ又は外輪２から例えばモーメント荷重を受けた場合、相対的にその隙間は小さくなり、介在する潤滑油の粘性抵抗等の影響が大きくなる。その影響が比較的大きくなると、クラッチの引きずりトルクが大きくなりミス係合等の問題が生じる。このため、複数の軸受８、８をタンデムに配置し、かつ軸方向に任意の予圧をかけることにより軸受剛性を大きくし、ローラ３と外輪２との隙間を確保し易くする。
【００３８】
又、同サイズの複数の軸受８、８を軸方向に近接配置したため、軸受８、８の内外輪の嵌合部は単一の加工で製作が可能となり、入力軸１ｘと外輪２の同軸度を確保し易くしたのである。さらに、この実施形態では外輪２の延長部６に動力伝達用の歯車７を一体に形成しているが、その中央寄り位置に軸受８、８を配置することにより動力伝達時に歯車７から受ける半径方向及び軸方向荷重を支持し易くしている。なお、軸受８に玉軸受を採用しているため、例えば針状（ニードル）ころ軸受のような転走面を別途形成又は配置しなければならない軸受構造に対して、はめ合部の精度及び部品点数を必要最少限の数とし易くした。
【産業上の利用可能性】
【００３９】
この発明の回転伝達装置は、加工が容易で、寸法管理がし易く、ミス係合を防止できるローラクラッチから成り、従って車両の動力伝達経路上等での回転の伝達、遮断を必要とする機器に広く利用される。
【図面の簡単な説明】
【００４０】
【図１】実施形態の回転伝達装置の主断面図
【図２】同上回転伝達装置の、（ａ）図１の矢視IIａ−IIａの断面図、（ｂ）図１の矢視IIｂ−IIｂの断面図
【図３】同上回転伝達装置の、（ａ）アーマチュア部分断面図、（ａ’）断面の異なる摩擦低減部材を有するアーマチュア部分断面図、（ｂ）電磁コイル、ロータの部分断面図
【符号の説明】
【００４１】
１  内方部材
１ｘ  入力軸
２  外輪
３  ローラ
４  保持器
５  カム面
６  延長部
７、２１  歯車
８  軸受
９  異径部
１０  スイッチばね
１１  アーマチュア
１２  弾性部材
１３  ロータ
１４  電磁コイル
１５  スリーブ
１６  突起
１７、２０  軸受
１９  摩擦低減部材
【図１】
2005282588.tif 000003
【図２】
2005282588.tif 000004
【図３】
2005282588.tif 000005